(57)【要約】【課題】  ユーザが通常設定されているパラメータ値が現在も設定されているものと誤認して撮影を行ってしまう不都合を未然に防止する。【解決手段】  「警告機能」がＯＮとなっているか否かを判断する（ステップＳ２０１）。ＯＮとなっている場合には、現時点が警告タイミングであるか否かを判断する（ステップＳ２０２）。警告タイミングであるならば、ユーザにより設定されている現パラメータ値と警告対象パラメータ値である常用パラメータ値とを比較し（ステップＳ２０３）、両者が一致するか否かを判断する（ステップＳ２０３）。両者が不一致であり、警告対象パラメータ値であって常用パラメータ値と異なる現パラメータ値がある場合には、表示部にてその旨の警告表示を行う（ステップＳ２０５）。【選択図】      図５
2006173934.tif 000002
【特許請求の範囲】
【請求項１】
当該カメラ装置において撮影に常用されるべきパラメータ値である常用パラメータ値を記憶する記憶手段と、
当該カメラ装置において撮影に使用される任意のパラメータ値を設定するパラメータ値設定手段と、
前記パラメータ値設定手段により設定されている現パラメータ値と前記常用パラメータ値とを比較する比較手段と、
この比較手段による比較の結果、両パラメータ値が異なる場合、所定のタイミングで警報する警報手段と
を備えたことを特徴とするカメラ装置。
【請求項２】
操作に基づき、前記常用パラメータ値を前記記憶手段に予め記憶させる手動記憶制御手段を備えることを特徴とする請求項１記載のカメラ装置。
【請求項３】
当該カメラ装置における複数のパラメータ値の使用頻度を検出する検出手段と、
この検出手段により検出された使用頻度に基づき、最も使用頻度が高いパラメータ値を前記常用パラメータ値として決定する決定手段と、
この決定手段により決定された常用パラメータ値を前記記憶手段に記憶させて、その記憶内容を更新する自動記憶制御手段と
を備えることを特徴とする請求項１記載のカメラ装置。
【請求項４】
前記請求項２記載の手動記憶制御手段と前記請求項３記載の自動記憶制御手段とを選択的に動作させる動作選択手段を備えることを特徴とする請求項１記載のカメラ装置。
【請求項５】
前記所定のタイミングは、当該カメラ装置の起動時、電源となる電池の交換時、各種撮影モードの変更時、シャッターキーの半押し時のいずれかを含むことを特徴とする請求項１乃至４の何れかに記載のカメラ装置。
【請求項６】
前記所定のタイミングは、複数のタイミングからユーザにより予め選択された少なくとも１つのタイミングであることを特徴とする請求項１乃至５の何れかに記載のカメラ装置。
【請求項７】
前記常用パラメータ値は、画像サイズ、画質、画像データ圧縮率、フィルタのいずれかを含むことを特徴とする請求項１乃至６の何れかに記載のカメラ装置。
【請求項８】
前記記憶手段に記憶される複数種の常用パラメータ値のうち、警報すべき常用パラメータ値を任意に選択するパラメータ値選択手段を有し、
前記警報手段は、前記現パラメータ値が前記パラメータ値選択手段により選択された常用パラメータ値と異なる場合に警報することを特徴とする請求項１乃至７の何れかに記載のカメラ装置。
【請求項９】
前記両パラメータ値が異なる場合において、
そのまま撮影するか、異なる現パラメータを修正して撮影を行うかを選択するための撮影条件選択手段を更に備えることを特徴とする請求項１乃至８の何れかに記載のカメラ装置。
【請求項１０】
前記異なる現パラメータ値を修正して撮影を行う場合において、表示手段に、メニュー画面を表示して該メニュー画面上において修正を行う手段と、常用パラメータ値と異なるパラメータ値の設定画面を表示して該設定画面上において修正を行う手段と、常用パラメータ値に変更する手段のいずれかを備えることを特徴とする請求項９記載のカメラ装置。
【請求項１１】
当該カメラ装置において撮影に使用される任意のパラメータ値を設定するパラメータ値設定手段を備えるカメラ装置が有するコンピュータを、
当該カメラ装置において撮影に常用されるべきパラメータ値である常用パラメータ値を記憶手段に記憶する記憶制御手段と、
当該カメラ装置において撮影に使用される任意のパラメータ値を設定するパラメータ値設定手段と、
前記パラメータ値設定手段により設定されている現パラメータ値と前記常用パラメータ値とを比較する比較手段と、
この比較手段による比較の結果、両パラメータ値が異なる場合、所定のタイミングで警報させる警報制御手段と
して機能させることを特徴とする警報制御プログラム。
【請求項１２】
当該カメラ装置において撮影に使用される任意のパラメータ値を設定するパラメータ値設定手段を備えるカメラ装置における警報方法であって、
当該カメラ装置において撮影に常用されるべきパラメータ値である常用パラメータ値を記憶手段に記憶する記憶ステップと、
当該カメラ装置において撮影に使用される任意のパラメータ値を設定する設定ステップと、
前記設定されている現パラメータ値と前記常用パラメータ値とを比較する比較ステップと、
この比較の結果、両パラメータ値が異なる場合、所定のタイミングで警報させる警報ステップと
を含むことを特徴とするカメラ装置における警報方法。
【発明の詳細な説明】
【技術分野】
【０００１】
本発明は、各種パラメータを設定して撮影可能なカメラ装置、該カメラ装置に用いられる警報制御プログラム及び該カメラ装置における警報方法に関する。
【背景技術】
【０００２】
従来、撮像した画像データを記録する際の圧縮率（例えば、特許文献１参照。）や、画像サイズあるいは画質等の、各種パラメータ値を選択的に設定可能なカメラ装置が出現するに至っている。このようなカメラ装置においては、被写体を表示する画面上にパラメータ値を示すアイコンを表示することにより、ユーザに現在設定されているパラメータ値を認識させるようにしている。
【特許文献１】特開平１０−４２２５０号公報
【発明の開示】
【発明が解決しようとする課題】
【０００３】
しかしながら、例えば通常は画像サイズＡで撮影を行っているユーザが、何らかの事情で偶に、画像サイズＢに設定変更して撮影を行う場合がある。このように、画像サイズを偶に設定変更すると、設定変更した事実を失念し易く、当該ユーザは通常の画像サイズＡが設定されているものと思い込んで、順次撮影を行ってしまう。このため、画像サイズＡであると誤認した状態で、画像サイズＢで撮影がなされることにより、撮影された画像が必要なサイズでなかったり、あるいは不意にメモリ容量が不足してしまう事態が生ずる。また、画像サイズに限らず、他のパラメータ値においても、ユーザが思い込んでいる通常とは異なるパラメータ値が設定されている場合には、ユーザが意図しない撮影結果となってしまう不都合が生ずる。
【０００４】
無論、前述のように、撮影時にユーザが視認する画面上には、現在設定されているパラメータ値のアイコンが表示されていることから、撮影時に表示されているアイコンに注意を払うユーザであれば、前記不都合の発生を未然に防止することはできる。しかし、ユーザは撮影時において、画面上に表示される撮影対象である被写体に対しては注意を払うものの、定常的に表示されているアイコンにまでは意識せずに撮影を行うことが一般的である。また、通常設定しているパラメータ値から他のパラメータ値に変更したことが希であれば、通常のパラメータ値が設定されているものと誤認する可能性は高く、前記不都合が生ずることは否めないところであった。
【０００５】
本発明は、かかる従来の課題に鑑みてなされたものであり、ユーザが、通常設定されているパラメータ値が現在も設定されているものと誤認して撮影を行ってしまう不都合を未然に防止するようにしたカメラ装置、このカメラ装置を実現するための警報制御プログラム及びカメラ装置における警報方法を提供することを目的とする。
【課題を解決するための手段】
【０００６】
前記課題を解決するため請求項１記載の発明に係るカメラ装置にあっては、当該カメラ装置において撮影に常用されるべきパラメータ値である常用パラメータ値を記憶する記憶手段と、任意のパラメータ値を設定するパラメータ値設定手段と、前記パラメータ値設定手段により設定されている現パラメータ値と前記常用パラメータ値とを比較する比較手段と、この比較手段による比較の結果、両パラメータ値が異なる場合、所定のタイミングで警報する警報手段とを備えている。
【０００７】
したがって、パラメータ値設定手段により、常用パラメータ値と異なるパラメータ値が設定されている場合には、カメラ装置の起動時等、所定のタイミングで警報手段による警報がなされる。したがって、ユーザが常用パラメータ値とは異なるパラメータ値が設定されていることを失念していた場合であっても、ユーザは警報によりこれに気付くことができる。
【０００８】
また、請求項２記載の発明に係るカメラ装置にあっては、操作に基づき、前記常用パラメータ値を前記記憶手段に予め記憶させる手動記憶制御手段を備える。したがって、ユーザは任意のパラメータ値を常用パラメータ値として設定することができる。よって、当該ユーザにとって、重要なパラメータ値を常用パラメータ値として設定しておくことができ、これにより、重要なパラメータ値に関して、誤認して撮影する不都合を未然に防止することができる。
【０００９】
また、請求項３記載の発明に係るカメラ装置にあっては、当該カメラ装置における複数のパラメータ値の使用頻度を検出する検出手段と、この検出手段により検出された使用頻度に基づき、最も使用頻度が高いパラメータ値を前記常用パラメータ値として決定する決定手段と、この決定手段により決定された常用パラメータ値を前記記憶手段に記憶させることにより、その記憶内容を更新する自動記憶制御手段とを備える。
【００１０】
したがって、当該カメラ装置において最も使用頻度が高いパラメータ値が常用パラメータ値として自動的に更新されつつ記憶手段に記憶される。よって、ユーザは手動により常用パラメータ値を記憶させる必要がないばかりでなく、希に最も使用頻度が高いパラメータ値（常用パラメータ値）から他のパラメータ値に設定した場合において、これを失念して撮影を行う不都合を未然に防止することができる。
【００１１】
また、請求項４記載の発明に係るカメラ装置にあっては、前記請求項２記載の手動記憶制御手段と前記請求項３記載の自動記憶制御手段とを選択的に動作させる動作選択手段を備える。したがって、ユーザは任意の常用パラメータ値を設定するか、自動的に使用頻度が高いパラメータ値を常用パラメータ値として設定するかを選択することができる。
【００１２】
また、請求項５記載の発明に係るカメラ装置にあっては、前記所定のタイミングは、当該カメラ装置の起動時、電源となる電池の交換時、各種撮影モードの変更時、シャッターキーの半押し時のいずれかを含む。したがって、ユーザが常用パラメータ値とは異なるパラメータ値が設定されていることを失念していた場合であっても、これらいずれかの時点において効果的に、ユーザにこれに気付かせることができる。
【００１３】
また、請求項６記載の発明に係るカメラ装置にあっては、前記所定のタイミングは、複数のタイミングからユーザにより予め選択された少なくとも１つのタイミングである。したがって、ユーザは、複数のタイミングのうちいずれのタイミングで警報がなされることが自己にとって効果的であるかを考慮して、警報のタイミングを設定することができ、これにより当該ユーザにとって効果的な警報を行うことができる。
【００１４】
また、請求項７記載の発明に係るカメラ装置にあっては、前記常用パラメータ値は、画像サイズ、画質、画像データ圧縮率、フィルタのいずれかを含む。つまり、本明細書において常用パラメータ値とは、画像サイズや画像データ圧縮率のように数値により特定される特性のみならず、画質やフィルタのように数値をもって特定されない特性も含む。
【００１５】
また、請求項８記載の発明に係るカメラ装置にあっては、前記記憶手段に記憶される複数種の常用パラメータ値のうち、警報すべき常用パラメータ値を任意に選択するパラメータ値選択手段を有し、前記警報手段は、前記現パラメータ値が前記パラメータ値選択手段により選択された常用パラメータ値と異なる場合に警報する。したがって、ユーザはこのパラメータ値だけは誤認して撮影したくないと思う重要なパラメータ値を常用パラメータ値として設定して、警報を得ることができ、これにより、重要なパラメータ値が設定されていない状態で撮影を行ってしまう不都合を未然に防止することができる。また、複数のパラメータ値全てについて警報がなされることによる煩わしさを防止することもできる。
【００１６】
また、請求項９記載の発明に係るカメラ装置にあっては、前記両パラメータ値が異なる場合において、そのまま撮影するか、異なる現パラメータを修正して撮影を行うかを選択するための撮影条件選択手段を更に備える。したがって、常用パラメータ値が設定されていない場合であっても、ユーザにおいて支障がなければ、現パラメータ値での撮影を行うことができ、また、常用パラメータ値に修正して撮影を行うこともできる。
【００１７】
また、請求項１０記載の発明に係るカメラ装置にあっては、前記異なる現パラメータ値を修正して撮影を行う場合において、表示手段に、メニュー画面を表示して該メニュー画面上において修正を行う手段と、常用パラメータ値と異なるパラメータ値の設定画面を表示して該設定画面上において修正を行う手段と、一括して常用パラメータ値に変更する手段のいずれかを備える。
【００１８】
したがって、通常各種パラメータ値を設定する場合と同様に、メニュー画面から現パラメータ値を常用パラメータ値に修正したり、常用パラメータ値と異なるパラメータ値の設定画面上で常用パラメータ値に修正したり、表示を伴うことなくあるいは表示を伴って、複数の複数の現パラメータ値を常用パラメータ値に一括して変更する等の修正態様が可能となる。
【００１９】
また、請求項１１記載の発明に係る警報制御プログラムにあっては、当該カメラ装置において撮影に使用される任意のパラメータ値を設定するパラメータ値設定手段を備えるカメラ装置が有するコンピュータを、当該カメラ装置において撮影に常用されるべきパラメータ値である常用パラメータ値を記憶手段に記憶する記憶制御手段と、当該カメラ装置において撮影に使用される任意のパラメータ値を設定するパラメータ値設定手段と、前記パラメータ値設定手段により設定されている現パラメータ値と前記常用パラメータ値とを比較する比較手段と、この比較手段による比較の結果、両パラメータ値が異なる場合、所定のタイミングで警報させる警報制御手段として機能させる。したがって、前記コンピュータがこのプログラムに従って処理を実行することにより、請求項１記載の発明と同様の作用効果を奏する。
また、請求項１２記載の発明は、当該カメラ装置において撮影に使用される任意のパラメータ値を設定するパラメータ値設定手段を備えるカメラ装置における警報方法であって、当該カメラ装置において撮影に常用されるべきパラメータ値である常用パラメータ値を記憶手段に記憶する記憶ステップと、当該カメラ装置において撮影に使用される任意のパラメータ値を設定する設定ステップと、前記設定されている現パラメータ値と前記常用パラメータ値とを比較する比較ステップと、この比較の結果、両パラメータ値が異なる場合、所定のタイミングで警報させる警報ステップとを含む。したがって、記載したステップに従って処理を実行することにより、請求項１記載の発明と同様の作用効果を奏する。
【発明の効果】
【００２０】
以上説明したように本発明によれば、当該カメラ装置において撮影に常用されるべきパラメータ値である常用パラメータ値とは異なるパラメータ値が設定されている場合には、カメラ装置の起動時等の所定のタイミングで警報を行うことができる。したがって、ユーザが常用パラメータ値と異なるパラメータ値が設定されていることを失念していた場合であっても、ユーザは警報によりこれに気付くことができ、ユーザが通常設定されているパラメータ値が設定されているものと誤認して撮影を行ってしまう不都合を未然に防止することができる。
【発明を実施するための最良の形態】
【００２１】
以下、本発明の実施の形態を図に従って説明する。図１は、本発明の一実施の形態を適用したデジタルカメラ１の電気的構成の概略を示すブロック図である。このデジタルカメラ１は、撮像レンズ１０の光軸後方に配置された撮像素子であるＣＣＤ１１を備えている。ＣＣＤ１１は、タイミング発生器（ＴＧ）１２、垂直ドライバ１３によって走査駆動され、一定周期で１画面分の撮像信号を出力する。
【００２２】
ＣＣＤ１１の出力信号は、アナログ信号の状態でＲＧＢの原色成分毎に適宜ゲイン調整された後に、サンプルホールド回路（Ｓ／Ｈ）１４でサンプルホールドされ、Ａ／Ｄ変換器１５でデジタルデータに変換されカラープロセス回路１６に送られる。カラープロセス回路１６は画像補間処理を含むカラープロセス処理により、デジタル値の輝度信号Ｙ及び色差信号Ｃｂ，Ｃｒを生成し、ＤＭＡ（Ｄｉｒｅｃｔ  Ｍｅｍｏｒｙ Ａｃｃｅｓｓ）ＤＭＡコントローラ１７に出力する。
【００２３】
ＤＭＡコントローラ１７は輝度信号Ｙ及び色差信号Ｃｂ，Ｃｒを、カラープロセス回路１６からの複合同期信号、メモリ書込みイネーブル信号、及びクロック信号を用いて一度ＤＭＡコントローラ１７内部のバッファに書込み、ＤＲＡＭインタフェース（Ｉ／Ｆ）１８を介してＤＲＡＭ１９にＤＭＡ転送する。制御部２０は、上記輝度及び色差信号データ、つまり画像データのＤＲＡＭ１９へのＤＭＡ転送終了後に、その画像データを、ＤＲＡＭインタフェース１８を介してＤＲＡＭ１９から読み出し、ＶＲＡＭコントローラ２１を介してＶＲＡＭ２２に書き込む。
【００２４】
デジタルビデオエンコーダ２３は、上記画像データを、ＶＲＡＭコントローラ２１を介してＶＲＡＭ２２より定期的に読出し、これらのデータを元にビデオ信号を発生して表示部２４に出力する。表示部２４は、液晶モニタとその駆動回路等により構成され、デジタルビデオエンコーダ２３からのビデオ信号に基づいた表示を行うことで、その時点でＶＲＡＭコントローラ２１から取り込まれている画像情報に基づくスルー画像を表示する。
【００２５】
キー入力部２５は、電源スイッチや、シャッターキー、記録モードキー、再生モードキー、後述する各種パラメータ値を設定する際に操作されるキー等の各種キーを含み、スルー画像が表示されている状態でシャッターキーが操作されると、撮像開始用のトリガ信号を発生する。
【００２６】
記録モードによる静止画撮像モード時には、上記トリガ信号に応じて制御部２０がＣＣＤ１１からのＤＲＡＭ１９への経路を停止し、ＤＲＡＭ１９に書込まれている１フレーム分の画像データを、ＤＲＡＭインタフェース１８を介して読み出し、ＪＰＥＧ回路２６に送る。ＪＰＥＧ回路２６では送られた画像データを圧縮符号化し、圧縮された画像データは制御部２０によって読み出され、静止画ファイルとして不揮発性メモリであるフラッシュメモリ２７に記録される。
【００２７】
フラッシュメモリ２７に記録された画像ファイルは、再生モードにおいて、キー入力部２５での選択操作に応じてＪＰＥＧ回路２６に読み込まれ、そこで画像データに復号された後、ＶＲＡＭコントローラ２１を介してＶＲＡＭ２２へ送られ、表示部２４で表示される。
【００２８】
電源回路２８は、電池２９から各部に供給される電力を制御する。制御部２０は、主としてＣＰＵ及びその周辺回路と、ＣＰＵの作業用メモリであるＲＡＭから構成されるマイクロコンピュータであり、フラッシュメモリ２７に確保されているプログラム領域に格納されているプログラムに基づき動作し、各部の動作を制御する。また、この制御部２０には、バスを介してパラメータ値メモリ３０と警告機能オプションメモリ３１とが接続されている。
【００２９】
パラメータ値メモリ３０は、図２に示すように、パラメータ種記憶領域３０１、パラメータ値記憶領域３０２、常用パラメータ値記憶領域３０３、設定パラメータ値記憶領域３０４及び使用回数カウンタ領域３０５が設けられている。パラメータ種記憶領域３０１には、「サイズ」、「画質」、「フィルター」等のパラメータ種が記憶されている。パラメータ値記憶領域３０２には、「サイズ」における「２０４８×１５３６」や「１６００×１２００」等、「画質」における「高精細」や「標準」等、「フィルター」における「なし」や「白黒」等のように、各パラメータ種が有するパラメータ値が記憶されている。
【００３０】
常用パラメータ値記憶領域３０３には、対応するパラメータ値が常用パラメータであることを示す識別子Ｍ１が記憶され、設定パラメータ値記憶領域３０４には対応するパラメータ値が現在設定されていることを示す識別子Ｍ２が記憶される。したがって、制御部２０は、識別子Ｍ１に基づき、該識別子Ｍ１に対応するパラメータ値が常用パラメータ値であることを認識することができるとともに、識別子Ｍ１と識別子Ｍ２に対応するパラメータ値を比較することにより、常用パラメータ値と現在設定されているパラメータ値である現パラメータ値が異なるか否かを判別することができる。
【００３１】
また、使用回数カウンタ領域３０５には、後述する「常用パラメータ値の指定方法」が「自動」である場合において、撮影の都度、対応するパラメータ種のパラメータ値で撮影された回数がカウントアップされて記憶される。このカウント値は、制御部２０が有する撮影回数カウンタによりカウントされる撮影回数が１００となった時点、及び「常用パラメータ値の指定方法」が「手動」に設定された際、全て０にリセットされる。なお、図２は、「常用パラメータ値の指定方法」が「自動」である場合において、撮影回数が５０回である時点の状態を例示している。
【００３２】
前記警告機能オプションメモリ３１は、図３に示すように、選択項目記憶領域３１１、選択肢記憶領域３１２及び選択結果記憶領域３１３が設けられている。選択項目記憶領域３１１には、「警告機能」「警告タイミング」「常用パラメータ値の指定方法」「警告対象パラメータ」等の選択項目が記憶されている。選択肢記憶領域３１２には、「警告機能」における「ＯＮ」「ＯＦＦ」、「警告タイミング」における「起動時」や「モード変更時」等、「常用パラメータ値の指定方法」における「手動」「自動」、「警告対象パラメータ」における「サイズ」「画質」等のように、各選択項目における選択肢が記憶されている。選択結果記憶領域３１３には、対応する選択項目の選択肢が選択されていることを示す識別子Ｍ３が記憶される。したがって、制御部２０は、識別子Ｍ３に基づき、該識別子Ｍ３に対応する選択肢が選択されていることを判別することができる。なお、例えば図３における「警告タイミング」や「警告対象パラメータ」のように、相反しない選択肢が複数ある場合、複数の選択肢を同時選択することも可能である。
【００３３】
以上の構成に係る本実施の形態において、制御部２０は前記プログラムに基づき、図４に示すフローチャートに従って設定処理を実行する。すなわち、キー入力部２５に設けられているメニューキーの操作により表示部２４に表示されたメニュー画面において、警告機能オプションが選択されたか否かを判断する（ステップＳ１０１）。警告機能オプションが選択されなかった場合には、パラメータ値設定モードが選択されたか否かを判断し（ステップＳ１０２）、パラメータ値設定モードも選択されなかった場合には、選択された他の項目に対応するその他の処理に移行する。
【００３４】
また、パラメータ値設定モードが選択された場合には、これにより表示部２４に表示される図２に示したパラメータ値において、キー入力部２５での操作により選択されたパラメータ値に対応して識別子Ｍ２の記憶位置を変更する（ステップＳ１０３）。つまり、図２に例示したように、サイズとして「１６００×１２００」が選択されたならば、「１６００×１２００」に対応する設定パラメータ値記憶領域３０４に識別子Ｍ２の記憶位置を変更し、画質として「標準」が選択されたならば、「標準」に対応する設定パラメータ値記憶領域３０４に識別子Ｍ２の記憶位置を変更し、フィルターとして「赤」が選択されたならば、「赤」に対応する設定パラメータ値記憶領域３０４に識別子Ｍ２の記憶位置を変更する。これら識別子Ｍ２が設定パラメータ値記憶領域３０４に書き込まれたパラメータ値が、現在当該デジタルカメラ１に設定されている現パラメータ値であり、制御部２０はこの現パラメータ値を撮影条件として撮影処理を実行する。
【００３５】
一方、ステップＳ１０１での判断の結果、警告機能オプションが選択された場合には、これにより表示部２４に表示される図３に示した警告機能オプションの選択項目において、「常用パラメータの指定方法」が選択されたか否かを判断する（ステップＳ１０４）。そして、「常用パラメータの指定方法」が選択されず、他の項目「警告機能」「警告タイミング」「警告対象パラメータ」のいずれかが選択された場合には、各項目において選択された選択肢に対応して識別子Ｍ３を記憶する（ステップＳ１０５）。
【００３６】
つまり、図３に例示したように、警告機能として「ＯＮ」が選択されたならば、「ＯＮ」に対応する選択結果記憶領域３１３に識別子Ｍ３を書き込み、警告タイミングとして「起動時」と「モード変更時」が選択されたならば、「起動時」と「モード変更時」とに対応する選択結果記憶領域３１３に識別子Ｍ３を書き込み、警告対象パラメータとして「サイズ」が選択されたならば、「サイズ」に対応する選択結果記憶領域３１３に識別子Ｍ３を書き込む。
【００３７】
他方、ステップＳ１０４での結果、警告機能オプションにおいて「常用パラメータの設定方法」が選択された場合には、さらにこの「常用パラメータの設定方法」において、「自動」が選択されたか否かを判断する（ステップＳ１０６）。「自動」が選択されずに、「手動」選択された場合には、図３に示した警告機能オプションメモリ３１において、「手動」に対応する選択結果記憶領域３１３に識別子Ｍ３を記憶させる（ステップＳ１０７）。さらに、パラメータ値メモリ３０の常用パラメータ値記憶領域３０３において、ユーザによるキー入力部２５の手動操作により常用パラメータ値として選択されたパラメータ値に識別子Ｍ１を記憶させる（ステップＳ１０８）。
【００３８】
つまり、ユーザが「手動」を選択した後、常用パラメータ値としてサイズの「２０４８×１５３６」、画質の「標準」、フィルターの「なし」を選択した場合には、図２に示すように、サイズの「２０４８×１５３６」、質の「標準」、フィルターの「なし」に対応する常用パラメータ値記憶領域３０３に識別子Ｍ１を書き込む。
【００３９】
また、ステップＳ１０６での判断の結果、「自動」選択された場合には、図３に示した警告機能オプションメモリ３１において、「自動」に対応する選択結果記憶領域３１３に識別子Ｍ３を記憶させる（ステップＳ１０９）。さらに、このとき既に識別子Ｍ３が記憶されて常用パラメータ値として設定されているものがあるか否かを判断する（ステップＳ１１０）。常用パラメータ値として設定されているものがない場合には、後述する自動更新処理（図６）で自動的に設定されるまで、後述する警告処理で警告（図５）を行うことができない。そこで、本実施の形態においては、所定のイニシャル常用パラメータ値に識別子Ｍ１を記憶する（ステップＳ１１１）。常用パラメータ値としてサイズの「２０４８×１５３６」、画質の「標準」、フィルターの「なし」がイニシャル値であったとすると、図２に示すように、サイズの「２０４８×１５３６」、質の「標準」、フィルターの「なし」に対応する常用パラメータ値記憶領域３０３に識別子Ｍ１を書き込む。
【００４０】
なお、このステップＳ１１１の処理を行うことなく、「自動」が選択されている場合には自動更新処理（図６）のみで常用パラメータ値を設定するようにしてもよい。
【００４１】
図５は、警告処理の処理手順を示すフローチャートである。まず、警告機能オプションメモリ３１における「警告機能」の「ＯＮ」に対応して識別子Ｍ３が記憶されているか否かに基づき、「警告機能」がＯＮとなっているか否かを判断する（ステップＳ２０１）。ＯＮとなっていない場合には、以降の処理を実行することなく、図示しないメインルーチンにリターンする。
【００４２】
また、ＯＮとなっている場合には、さらに警告機能オプションメモリ３１において、「警告タイミング」の識別子Ｍ３に対応する選択肢を参照することにより、現時点が警告タイミングであるか否かを判断する（ステップＳ２０２）。警告タイミングであるならば、ユーザにより設定されている現パラメータ値と警告対象パラメータ値である常用パラメータ値とを比較する（ステップＳ２０３）。
【００４３】
すなわち、前述のように常用パラメータ値記憶領域３０３には、対応するパラメータ値が常用パラメータであることを示す識別子Ｍ１が記憶され、設定パラメータ値記憶領域３０４には対応するパラメータ値が現在設定されていることを示す識別子Ｍ２が記憶される。また、図３に示した警告機能オプションメモリ３１において、「警告対象パラメータ」の識別子Ｍ３に対応する選択肢を参照することにより、警告対象パラメータ値を判別することができる。したがって、制御部２０は、識別子Ｍ１と識別子Ｍ２に対応するパラメータ値であって、警告対象パラメータ値であるパラメータ値を比較して、両者が一致するか否かを判断する（ステップＳ２０４）。そして、両者が一致し、警告対象パラメータ値であって常用パラメータ値と異なる現パラメータ値がない場合には、メインルーチンにリターンする。
【００４４】
しかし、両者が不一致であり、警告対象パラメータ値であって常用パラメータ値と異なる現パラメータ値がある場合には、表示部２４にてその旨の警告表示を行う（ステップＳ２０５）。さらに、不一致パラメータ値、つまり常用パラメータ値及びこれと不一致である現パラメータ値を表示部２４に表示する（ステップＳ２０６）。このとき、不一致パラメータ値を全て表示してもよいし、警告対象となっている、不一致パラメータ値のみを表示するようにしてもよい。
【００４５】
この状態でユーザによるキー入力部２５での修正指示がなされたか否かを判断する（ステップＳ２０７）。修正指示がなされない場合にはリターンし、修正操作がなされた場合には修正処理を実行し、異なる全ての現パラメータ値を常用パラメータ値と一致させる（ステップＳ２０８）。
【００４６】
つまり、図３に示す例のように「サイズ」が警告対象であり、「起動時」が警告タイミングであり、現時点が起動時であり、また、図２に示すように、「サイズ」の常用パラメータ値「２０４８×１５３６」であり（Ｍ１参照）、現パラメータ値が「１６００×１２００」であったとすると（Ｍ２参照）、識別子Ｍ２の位置を設定パラメータ値記憶領域３０４において、「２０４８×１５３６」に対応する位置に変更することにより、異なる現パラメータ値を常用パラメータ値と一致させる。これにより、ユーザは「サイズ」に関して、常用パラメータ値と同一のパラメータ値で撮影を行うことができる。
【００４７】
なお、ステップＳ２０７の処理で、複数の不一致パラメータ値が表示されている場合には、ステップＳ２０９において、全ての不一致パラメータ値を常用パラメータ値と一致させるようにしてもよいし、ユーザにより選択された不一致パラメータ値のみを常用パラメータ値と一致させるようにしてもよい。また、ステップＳ２０７で、図４のステップＳ１０２と同様のパラメータ値設定モードを自動選択することによりメニュー設定画面を表示部２４に表示して、このメニュー画面上において、キー入力部２５での操作に応じて所望のパラメータ値の設定変更を行うようにしてもよい。この際、不一致パラメータ値のみの修正を可能とするメニュー設定画面を表示部２４に表示させるようにして、不一致パラメータ値の修正のみを行えるようにしてもよい。
【００４８】
図６は、常用パラメータ値の自動更新処理の処理手順を示すフローチャートである。すなわち、キー入力部２５でのユーザによるシャッターキーの操作に応答して、撮影処理が実行されたか否かを判断する（ステップＳ３０１）。撮影処理が実行されたならば、前記常用パラメータ値の指定方法が「自動」に設定されているか否かを判断する（ステップＳ３０２）。「自動」が設定されている場合には、前記撮影回数カウンタの値をカウントアップさせる（ステップＳ２０３）。
【００４９】
また、対応する使用回数カウンタの値もカウントアップさせる（ステップＳ３０４）。つまり、図２に示すように、識別子Ｍ２で示されるサイズにおける現パラメータ値が「１６００×１２００」であり、画質における現パラメータ値が「標準」であり、フィルターにおける現パラメータ値が「赤」であったとすると、これら現パラメータ値が「１６００×１２００」、「標準」、「赤」に対応するカウンタ領域３０５の値をカウントアップさせる。
【００５０】
次に、撮影回数カウンタの値が「１００」になったか否かを判断し（ステップＳ３０５）、「１００」となったならば、各パラメータ種において最もカウンタ値が大きいパラメータ値を検出する（ステップＳ３０６）。そして、この検出したパラメータ値に対応する常用パラメータ値記憶領域３０３に識別子Ｍ１を記憶させて、該常用パラメータ値記憶領域３０３を更新する（ステップＳ３０７）。つまり、例えばパラメータ種「サイズ」おいて「２０４８×１５３６」が、「画質」おいて「標準」が、「フィルター」において「なし」が最もカウンタ値が大きいパラメータ値であったとすると、これらに対応する常用パラメータ値記憶領域３０３に識別子Ｍ１を書き込んで、該常用パラメータ値記憶領域３０３を更新する。これにより、図２に例示したように、「サイズ」おいて「２０４８×１５３６」、「画質」おいて「標準」、「フィルター」において「なし」に対応する常用パラメータ値記憶領域３０３に識別Ｍ１が記憶されて、この時点からこれらのパラメータ値が常用パラメータ値として設定されることとなる。しかる後に、撮影回数カウンタ及び各カウンタ領域をリセットして、メインルーチンにリターンする（ステップＳ３０８）。
【００５１】
なお、本実施の形態においては、撮影回数が「１００」となって時点で、最も使用回数の多いパラメータ値を常用パラメータ値として自動設定するようにしたが、撮影回数はこれに限ることなく、より多くても少なくてもよい。また、撮影回数が一定の値となった時点で、常用パラメータ値記憶領域３０３を更新するのではなく、各パラメータ種において、最も多い使用回数のパラメータ値を他のパラメータ値の使用回数が上回った時点で、当該使用回数が上回ったパラメータ値を常用パラメータとして自動設定するようにしてもよい。また、本実施の形態においては、「常用パラメータ値の指定方法」が「自動」である場合にのみ、パラメータ値の使用回数をカウントするようにしたが、「手動」である場合にもカウントするようにしてもよい。
【００５２】
また、パラメータ値記憶領域３０２に記憶されるパラメータ値も図２に示したものに限らず、画像データ圧縮率等の他のパラメータ値をも含むようにしてもよい。また、実施の形態においては、表示部２４での表示により警報を行うようにしたが、警報音や音声あるいはワーニングランプの点滅等により警報を行うようにしてもよい。
【図面の簡単な説明】
【００５３】
【図１】本発明の一実施の形態に係るデジタルカメラの電気的構成の概略を示すブロック図である。
【図２】パラメータ値メモリの構成を示す概念図である。
【図３】警告オプションメモリの構成を示す概念図である。
【図４】設定処理の処理手順を示すフローチャートである。
【図５】警告処理の処理手順を示すフローチャートである。
【図６】自動更新処理の処理手順を示すフローチャートである。
【符号の説明】
【００５４】
１    デジタルカメラ
１０    撮像レンズ
１１    ＣＣＤ
１３    垂直ドライバ
１４    表示部
１５    Ａ／Ｄ変換器
１６    カラープロセス回路
２０    制御部
２４    表示部
２５    キー入力部
２６    ＪＰＥＧ回路
３０    パラメータ値メモリ
３１    警告機能オプションメモリ
３０１    パラメータ種記憶領域
３０２    パラメータ値記憶領域
３０３    常用パラメータ値記憶領域
３０４    設定パラメータ値記憶領域
３０５    使用回数カウンタ領域
３１１    選択項目記憶領域
３１２    選択肢記憶領域
３１３    選択結果記憶領域
【図１】
2006173934.tif 000003
【図２】
2006173934.tif 000004
【図３】
2006173934.tif 000005
【図４】
2006173934.tif 000006
【図５】
2006173934.tif 000007
【図６】
2006173934.tif 000008